(57)【要約】【課題】スリーブの基端部に乱れが生じても所定の周波数特性を安定して得られるスリーブアンテナを提供する。【解決手段】同軸給電線路２１の先端部において外部導体が除去された長さＬ４の放射部２２と、放射部２２の基端部から放射部２２とは逆方向に向けて同軸給電線路２１を覆う長さＬ５のスリーブ２３とを備えると共に、スリーブ２３の基端部分にかかるように、スリーブ２３と同軸供給線路２１の外皮２１１との間に配置された円筒形状のフェライト部材２４を備えたスリーブアンテナ２０を構成する。【選択図】  図１
2004336303.tif 000002
【特許請求の範囲】
【請求項１】
同軸給電線路の先端部において外部導体が除去された所定長さの放射部と、前記放射部の基端部から前記放射部とは逆方向に向けて前記同軸給電線路を覆う所定長さのスリーブとを備えたスリーブアンテナにおいて、
少なくとも前記スリーブの基端部分にかかるように配置された磁性部材を備えた
ことを特徴とするスリーブアンテナ。
【請求項２】
前記磁性部材は、円筒形状をなし、前記スリーブと前記同軸給電線路との間に配置されている
ことを特徴とする請求項１に記載のスリーブアンテナ。
【請求項３】
前記磁性部材は、円筒形状をなし、前記スリーブを覆う位置に配置されている
ことを特徴とする請求項１に記載のスリーブアンテナ。
【請求項４】
前記磁性部材がフェライトからなることを特徴とする請求項１乃至請求項３の何れかに記載のスリーブアンテナ。
【請求項５】
前記磁性部材の長さはアンテナ共振周波数の波長の１６分の１から３２分の１の範囲の長さに設定されている
ことを特徴とする請求項１乃至請求項４の何れかに記載のスリーブアンテナ。
【発明の詳細な説明】
【０００１】
【発明の属する技術分野】
本発明は、スリーブアンテナに関するものである。
【０００２】
【従来の技術】
従来、超短波帯以上の周波数の電磁波を用いた通信に用いられるアンテナの１種としてスリーブアンテナが知られている。このスリーブアンテナの最も単純な構造としては、図６及び図７に示すようなスリーブアンテナ１０が知られている。
【０００３】
このスリーブアンテナ１０は、同軸給電線路１１すなわち一般的に同軸ケーブルと称されているものの一端部を、外皮となる絶縁部材１２２を含む心線導体１２１のみとして放射部１２を形成し、この放射部を覆っていた網線１３１からなる外部導体を逆方向に折り返してスリーブ１３としたものが知られている。放射部１２の長さＬ１及びスリーブ１３の長さＬ２のそれぞれは使用する周波数ｆの波長λの１／４の長さとするのが一般的であるが、１／２或いは１／８またはその他の長さにしたものなども知られている。
【０００４】
また、このような最も単純な構造のスリーブアンテナ１０に改良を加えたものとして、特開平６−１４０８２６号公報や、特開平７−１０６８４０号公報、特開２００２−１４１７３２号公報、特開２００２−３７４１１９号公報、特開２００３−０１７９２９号公報に開示されるスリーブアンテナが知られている。
【０００５】
【特許文献１】
特開平６−１４０８２６号公報
【特許文献２】
特開平７−１０６８４０号公報
【特許文献３】
特開２００２−１４１７３２号公報
【特許文献４】
特開２００２−３７４１１９号公報
【特許文献５】
特開２００３−０１７９２９号公報
【０００６】
【発明が解決しようとする課題】
前述した従来のスリーブアンテナ１０は構造が簡単であり、低コストなため多く使用されているが、スリーブ１３を折り返すときにスリーブ１３の基の部分（基端部）１３ａにおいて網線の乱れや寸法のばらつきが生じ、これに伴って共振周波数が変化してしまい、定在波比が悪化して所望の周波数特性を安定して得ることができないことがあった。
【０００７】
例えば、使用周波数を３１５ＭＨｚとして構成した場合の上記従来例のスリーブアンテナ１０の定在波比（ＶＳＷＲ）を測定した結果、図８に示すように、２９０ＭＨｚで最小値の１．８のＶＳＷＲを得ているが、これ以下の周波数では３．２以上のＶＳＷＲとなり、３００〜４００ＭＨｚにかけて平均約２．４のＶＳＷＲとなり、４００〜５００ＭＨｚにかけては平均約２．１のＶＳＷＲとなった。
【０００８】
本発明の目的は上記の問題点に鑑み、スリーブの基端部に乱れが生じても所定の周波数特性を安定して得られるスリーブアンテナを提供することである。
【０００９】
【課題を解決するための手段】
本発明は上記の目的を達成するために、同軸給電線路の先端部において外部導体が除去された所定長さの放射部と、前記放射部の基端部から前記放射部とは逆方向に向けて前記同軸給電線路を覆う所定長さのスリーブとを備えたスリーブアンテナにおいて、少なくとも前記スリーブの基端部分にかかるように配置された磁性部材を備えたスリーブアンテナを提案する。
【００１０】
本発明によれば、スリーブの基端部分にかかるように配置された磁性部材によって、スリーブと同軸給電線路との間が整合され、広い周波数範囲に渡って安定した定在波比が得られると共に定在波比が低減される。
【００１１】
また、本発明は上記構成のスリーブアンテナにおいて、前記磁性部材は、円筒形状をなし、前記スリーブと前記同軸給電線路との間に配置されているスリーブアンテナを提案する。
【００１２】
本発明によれば、磁性部材がスリーブと前記同軸給電線路との間に配置された円筒形状をなし、スリーブの全周囲に渡って整合性の安定が図られる。
【００１３】
また、本発明は上記構成のスリーブアンテナにおいて、前記磁性部材は、円筒形状をなし、前記スリーブを覆う位置に配置されているスリーブアンテナを提案する。
【００１４】
本発明によれば、磁性部材の形状がスリーブを覆う円筒形状をなし、スリーブの全周囲に渡って整合性の安定が図られる。
【００１５】
また、本発明は上記構成のスリーブアンテナにおいて、前記磁性部材がフェライトからなるスリーブアンテナを提案する。
【００１６】
本発明によれば、フェライトによって磁性部材が形成されている。
【００１７】
また、本発明は上記構成のスリーブアンテナにおいて、前記磁性部材の長さはアンテナ共振周波数の波長の１６分の１から３２分の１の範囲の長さに設定されているスリーブアンテナを提案する。
【００１８】
本発明によれば、磁性部材の長さが、アンテナ共振周波数の波長の１６分の１から３２分の１の範囲の長さに設定されている。
【００１９】
【発明の実施の形態】
以下、図面に基づいて本発明の一実施形態を説明する。
【００２０】
図１は本発明の第１実施形態におけるスリーブアンテナを示す外観斜視図、図２はその側面断面図である。図において、２０はスリーブアンテナで、一般的に市販されているインピーダンスが５０オームの同軸ケーブルを同軸供給線路２１として用い、その一端部を覆っていた網線２３１からなる外部導体を逆方向に折り返してスリーブ２３とし、網線２３１を取り除いた部分を放射部２２としている。この放射部２２は、心線導体２２１とこれを覆う絶縁部材２２２からなり、その長さＬ４は使用する周波数ｆの波長λの１／４の長さに設定されている。また、スリーブ２３の長さＬ５も同様に使用する周波数ｆの波長λの１／４の長さに設定されている。尚、本実施形態では使用周波数を３１５ＭＨｚに設定している。
【００２１】
また、スリーブ２３を折り返す際、スリーブ２３の基端部分２３ａに長さＬ６の円筒形状のフェライト部材２４が、同軸供給線路２１の外皮２１１との間に位置するように設けられている。ここで、フェライト部材２４の長さＬ１は上記波長λの３２分の１の長さ、すなわち約３ｃｍに設定しているが、前記波長λの１６分１から３２分の１の範囲内の長さが好ましい。この長さＬ６をこれ以上に長くしても効果に変わりはない。
【００２２】
上記構成よりなるスリーブアンテナ２０の定在波比（ＶＳＲＷ）の周波数特性の実測値を図３に示す。図３に示したように、２００ＭＨｚから５００ＭＨＺ間での周波数について測定を行った結果、この周波数範囲全般においてＶＳＷＲが２．８以下の安定した値となり、２９０ＭＨＺで最小値の１．８のＶＳＷＲが得られ、使用周波数３１５ＭＨｚにおいては２．３のＶＳＷＲが得られた。
【００２３】
尚、上記測定値は一例であり、放射部２２の長さＬ４やスリーブ２３の長さＬ５及びフェライト部材２４の長さＬ６を微細に調整することにより、ＶＳＷＲが最小なる周波数の位置を変化させることができると共にさらにＶＳＷＲを下げることが可能である。
【００２４】
また、本実施形態では使用周波数を３１５ＭＨｚに設定したスリーブアンテナ２０を構成したが、これ以外の周波数のスリーブアンテナを構成しても同様の効果が得られることは言うまでもない。
【００２５】
次に、本発明の第２実施形態を説明する。
【００２６】
図４本発明の第２実施形態におけるスリーブアンテナを示す外観斜視図、図５はその側面断面図である。図において、前述した第１実施形態と同一構成部分は同一符号を持って表し、その説明を省略する。また、第２実施形態のスリーブアンテナ２０Ｂと第１実施形態のスリーブアンテナ２０との相違点は、第２実施形態では、第１実施形態におけるフェライト部材２４に代えて、スリーブ２３の基端部２３ａを覆うように配置したフェライト部材２５を設けたことである。このフェライト部材２５の長さＬ６も第１実施形態と同じ長さに設定されている。
【００２７】
上記のようにスリーブ２３の基端部２３ａを覆うように配置したフェライト部材２５を設けた場合も、第１実施形態と同様のＶＳＷＲ周波数特性を得ることができた。
【００２８】
尚、上記第１及び第２実施形態では、放射部２２及びスリーブ２３の長さＬ４，Ｌ５のそれぞれを使用周波数ｆの波長λの４分の１の長さに設定したが、これに限定されることはなく、１／２或いは１／８またはその他の長さにしても良いことは言うまでもない。
【００２９】
また、上記第１及び第２実施形態では、フェライト部材２４，２５を用いたが、これに代えて他の磁性部材を用いてもほぼ同様の効果を得ることができる。
【００３０】
【発明の効果】
以上説明したように本発明のスリーブアンテナによれば、スリーブの基端部分にかかるように配置された磁性部材によって、スリーブと同軸給電線路との間が整合され、広い周波数範囲に渡って安定した定在波比が得られると共に定在波比を低減することができるという非常に優れた効果を奏するものである。
【図面の簡単な説明】
【図１】本発明の第１実施形態におけるスリーブアンテナを示す外観斜視図
【図２】本発明の第１実施形態におけるスリーブアンテナを示す側面断面図
【図３】本発明の第１実施形態におけるスリーブアンテナのＶＳＷＲ周波数特性を示す図
【図４】本発明の第２実施形態におけるスリーブアンテナを示す外観斜視図
【図５】本発明の第２実施形態におけるスリーブアンテナを示す側面断面図
【図６】従来例のスリーブアンテナを示す外観斜視図
【図７】従来例のスリーブアンテナを示す側面断面図
【図８】従来例のスリーブアンテナのＶＳＷＲ周波数特性を示す図
【符号の説明】
２０，２０Ｂ…スリーブアンテナ、２１…同軸供給線路（同軸ケーブル）、２１１…外皮、２２…放射部、２２１…心線導体、２２２…絶縁部材、２３…スリーブ、２３１…外部導体（網線）、２４，２５…フェライト部材。
【図１】
2004336303.tif 000003
【図２】
2004336303.tif 000004
【図３】
2004336303.tif 000005
【図４】
2004336303.tif 000006
【図５】
2004336303.tif 000007
【図６】
2004336303.tif 000008
【図７】
2004336303.tif 000009
【図８】
2004336303.tif 000010